(57)【要約】【課題】安全性の問題を生じることなく、より低価格でより軽量なバッテリー溶接機を提供すること。【解決手段】本発明は、持ち運び可能な筐体と、前記筐体に設けられた一対の溶接用電極と、前記筐体に設けられた交流電源接続部と、前記筐体内に収容された複数のバッテリーセルと、前記筐体内に収容され且つ前記交流電源接続部に接続され、当該交流電源接続部に接続される交流電源による前記複数のバッテリーセルの充電を制御する充電回路と、前記複数のバッテリーセルに充電された電力に基づく前記一対の溶接用電極への出力を制御する主制御回路と、前記複数のバッテリーセルの各々に対応する複数の電圧監視回路と、を備えたことを特徴とするバッテリー溶接機である。【選択図】図５
2020068593.tif 000002
【特許請求の範囲】
【請求項１】
持ち運び可能な筐体と、
前記筐体に設けられた一対の溶接用電極と、
前記筐体に設けられた交流電源接続部と、
前記筐体内に収容された複数のバッテリーセルと、
前記筐体内に収容され且つ前記交流電源接続部に接続され、当該交流電源接続部に接続される交流電源による前記複数のバッテリーセルの充電を制御する充電回路と、
前記複数のバッテリーセルに充電された電力に基づく前記一対の溶接用電極への出力を制御する主制御回路と、
前記複数のバッテリーセルの各々に対応する複数の電圧監視回路と、
を備えたことを特徴とするバッテリー溶接機。
【請求項２】
前記複数の電圧監視回路が監視する電圧の少なくとも１つが所定の第１閾値以下である時、過放電警告信号を発するようになっている
ことを特徴とする請求項１に記載のバッテリー溶接機。
【請求項３】
前記複数の電圧監視回路が監視する電圧の少なくとも１つが所定の第２閾値以上である時、過充電警告信号を発するようになっている
ことを特徴とする請求項１に記載のバッテリー溶接機。
【請求項４】
前記筐体には、表示部が設けられており、
前記表示部には、前記過放電警告信号または前記過充電警告信号に基づいて、警告表示がなされるようになっている
ことを特徴とする請求項２または３に記載のバッテリー溶接機。
【請求項５】
前記充電回路は、前記複数の電圧監視回路が監視する電圧の少なくとも１つが所定の第３閾値以上である時、充電を停止するようになっている
ことを特徴とする請求項１に記載のバッテリー溶接機。
【請求項６】
前記主制御回路によって前記複数のバッテリーセルに充電された電力に基づく前記一対の溶接用電極への出力制御がなされている間は、前記充電回路は充電を停止するようになっている
ことを特徴とする請求項１乃至５のいずれかに記載のバッテリー溶接機。
【請求項７】
持ち運び可能な筐体と、
前記筐体に設けられた一対の溶接用電極と、
前記筐体に設けられた交流電源接続部と、
前記筐体内に収容された複数のバッテリーセルと、
前記筐体内に収容され且つ前記交流電源接続部に接続され、当該交流電源接続部に接続される交流電源による前記複数のバッテリーセルの充電を制御する充電回路と、
前記複数のバッテリーセルに充電された電力に基づく前記一対の溶接用電極への出力を制御する主制御回路と、
を備え、
前記主制御回路によって前記複数のバッテリーセルに充電された電力に基づく前記一対の溶接用電極への出力制御がなされている間は、前記充電回路は充電を停止するようになっている
ことを特徴とするバッテリー溶接機。
【請求項８】
前記複数のバッテリーセルは、各々が直径３．９ｃｍ〜４．１ｃｍ、高さ１３．８ｃｍ〜１４．０ｃｍの円筒状であり、並列に配置されていることを特徴とする請求項１乃至７のいずれかに記載のバッテリー溶接機。
【請求項９】
前記複数のバッテリーセルは、３段構造に配置されており、
１段目には、６本のバッテリーセルが並列配置されており、
２段目には、６本のバッテリーセルが並列配置されており、
３段目には、４本のバッテリーセルが並列配置されている
ことを特徴とする請求項８に記載のバッテリー溶接機。
【発明の詳細な説明】
【技術分野】
【０００１】
本発明は、充電可能なバッテリーが内蔵されていて、当該バッテリーに充電された電力に基づいて溶接作業を行うことが可能なバッテリー溶接機に関する。
【背景技術】
【０００２】
従来より、バッテリー溶接機は、交流電源がない場所で溶接作業を行う際に有効活用されている。
【０００３】
一般的に、バッテリー溶接機は、持ち運び可能な筐体と、前記筐体に設けられた一対の溶接用電極と、前記筐体に設けられた交流電源接続部と、前記筐体内に収容された複数のバッテリーセルと、前記筐体内に収容され且つ前記交流電源接続部に接続され、当該交流電源接続部に接続される交流電源による前記複数のバッテリーセルの充電を制御する充電回路と、前記複数のバッテリーセルに充電された電力に基づく前記一対の溶接用電極への出力を制御する主制御回路と、を備えている。
【０００４】
前記複数のバッテリーセルは、電気的に直列に接続されており、その全体の電圧が監視（管理）されている。
【０００５】
その他、バッテリー溶接機に関する特許出願として、例えば特許文献１や特許文献２が公開されている。
【先行技術文献】
【特許文献】
【０００６】
【特許文献１】特開２０００−３４８７７８号公報
【特許文献２】特開２００２−  ６６７３７号公報
【発明の概要】
【発明が解決しようとする課題】
【０００７】
バッテリーの品質のバラツキは、バッテリーメーカーの規模やバッテリーの価格等によって異なる。当該バラツキの存在をある程度許容できるような構成を採用することで、より低価格でより軽量なバッテリーを採用することが可能になる。
【０００８】
本件発明者は、バッテリー溶接機の性能向上について検討する中で、複数のバッテリーセルの各々の電圧を監視することによって、安全性の問題を生じることなく、より低価格でより軽量なバッテリー溶接機を提供することができることを知見した。
【０００９】
本発明は、以上の知見に基づいて創案されたものである。本発明の目的は、安全性の問題を生じることなく、より低価格でより軽量なバッテリー溶接機を提供することである。
【課題を解決するための手段】
【００１０】
本発明は、持ち運び可能な筐体と、前記筐体に設けられた一対の溶接用電極と、前記筐体に設けられた交流電源接続部と、前記筐体内に収容された複数のバッテリーセルと、前記筐体内に収容され且つ前記交流電源接続部に接続され、当該交流電源接続部に接続される交流電源による前記複数のバッテリーセルの充電を制御する充電回路と、前記複数のバッテリーセルに充電された電力に基づく前記一対の溶接用電極への出力を制御する主制御回路と、前記複数のバッテリーセルの各々に対応する複数の電圧監視回路と、を備えたことを特徴とするバッテリー溶接機である。
【００１１】
本発明によれば、複数のバッテリーセルの各々に対応するように複数の電圧監視回路が設けられているため、バッテリーセルの品質のバラツキの存在をある程度許容できる。具体的には、個々のバッテリーセルの品質にバラツキが存在する場合には、複数のバッテリーセルの全体の電圧からは安全性に関わる問題が認められなくても、一部のバッテリーセルの電圧に安全性に関わる問題が生じている可能性があるところ、本発明によれば、複数のバッテリーセルの各々の電圧が監視されているため、一部のバッテリーセルの電圧に安全性に関わる問題が生じた場合にこれを早期に把握することができる。バッテリーセルの品質のバラツキの存在をある程度許容できることにより、より低価格でより軽量なバッテリーセルを採用することが可能となり、ひいては、より低価格でより軽量なバッテリー溶接機を提供することができる。
【００１２】
例えば、バッテリーセルが過放電状態になると、発熱して火災の原因となる場合さえあり得る。複数のバッテリーセルの全体の電圧ではなく、それらの各々の電圧を監視することで、各バッテリーセルが過放電状態であるのか否かを的確に監視することができ、安全性をより高めることができる。
【００１３】
バッテリーセルが過充電状態になる時も、同様に、発熱して火災の原因となる場合さえあり得る。複数のバッテリーセルの全体の電圧ではなく、それらの各々の電圧を監視することで、各バッテリーセルが過充電状態であるのか否かを的確に監視することができ、安全性をより高めることができる。
【００１４】
バッテリー溶接機は、前記複数の電圧監視回路が監視する電圧の少なくとも１つが所定の第１閾値以下である時、過放電警告信号を発するようになっていることが好ましい。これによれば、少なくとも１つのバッテリーセルが過放電状態であることを、ユーザに的確に警告することができる。
【００１５】
また、バッテリー溶接機は、前記複数の電圧監視回路が監視する電圧の少なくとも１つが所定の第２閾値以上である時、過充電警告信号を発するようになっていることが好ましい。これによれば、少なくとも１つのバッテリーセルが過充電状態であることを、ユーザに的確に警告することができる。
【００１６】
これらの場合において、前記筐体には、表示部が設けられており、前記表示部には、前記過放電警告信号または前記過充電警告信号に基づいて、警告表示がなされるようになっていることが好ましい。これによれば、少なくとも１つのバッテリーセルが過放電状態または過充電状態であることを、ユーザに視覚的に警告することができる。
【００１７】
また、前記充電回路は、前記複数の電圧監視回路が監視する電圧の少なくとも１つが所定の第３閾値以上である時、充電を停止するようになっていることが好ましい。これによれば、充電の自動停止を実現することができる。
【００１８】
また、前記主制御回路によって前記複数のバッテリーセルに充電された電力に基づく前記一対の溶接用電極への出力制御がなされている間は、前記充電回路は充電を停止するようになっていることが好ましい。これによれば、バッテリーセルの放電中（溶接作業中）の追加充電が回避され、電流の逆流に起因する基板の故障が防止され、また、バッテリーセルの内部温度の過度の上昇も防止されてバッテリーセルの寿命の短縮化が回避される。
【００１９】
少なくとも本願出願の時点においては、当該特徴に基づく以下の発明についても、本願による保護対象である。すなわち、本発明は、持ち運び可能な筐体と、前記筐体に設けられた一対の溶接用電極と、前記筐体に設けられた交流電源接続部と、前記筐体内に収容された複数のバッテリーセルと、前記筐体内に収容され且つ前記交流電源接続部に接続され、当該交流電源接続部に接続される交流電源による前記複数のバッテリーセルの充電を制御する充電回路と、前記複数のバッテリーセルに充電された電力に基づく前記一対の溶接用電極への出力を制御する主制御回路と、を備え、前記主制御回路によって前記複数のバッテリーセルに充電された電力に基づく前記一対の溶接用電極への出力制御がなされている間は、前記充電回路は充電を停止するようになっていることを特徴とするバッテリー溶接機である。
【００２０】
本発明によれば、バッテリーセルの放電中（溶接作業中）の追加充電が回避されるため、電流の逆流に起因する基板の故障が防止され、また、バッテリーセルの内部温度の過度の上昇も防止されてバッテリーセルの寿命の短縮化が回避される。
【００２１】
以上の各発明において、前記複数のバッテリーセルは、各々が直径３．９ｃｍ〜４．１ｃｍ、高さ１３．８〜１４．０ｃｍの円筒状であって、並列に配置されていることが好ましい。このような寸法及び形状のバッテリーセルを採用して並列に配置することで、バッテリー溶接機のコンパクト化が図れる。
【００２２】
この場合、更に、前記複数のバッテリーセルは、３段構造に配置されており、１段目には、６本のバッテリーセルが並列配置されており、２段目には、６本のバッテリーセルが並列配置されており、３段目には、４本のバッテリーセルが並列配置されていることが好ましい。このようなレイアウトを採用することで、バッテリー溶接機の一層のコンパクト化が図れる。
【発明の効果】
【００２３】
本発明によれば、複数のバッテリーセルの各々に対応するように複数の電圧監視回路が設けられているため、バッテリーセルの品質のバラツキの存在をある程度許容できる。具体的には、個々のバッテリーセルの品質にバラツキが存在する場合には、複数のバッテリーセルの全体の電圧からは安全性に関わる問題が認められなくても、一部のバッテリーセルの電圧に安全性に関わる問題が生じている可能性があるところ、本発明によれば、複数のバッテリーセルの各々の電圧が監視されているため、一部のバッテリーセルの電圧に安全性に関わる問題が生じた場合にこれを早期に把握することができる。バッテリーセルの品質のバラツキの存在をある程度許容できることにより、より低価格でより軽量なバッテリーセルを採用することが可能となり、ひいては、より低価格でより軽量なバッテリー溶接機を提供することができる。
【図面の簡単な説明】
【００２４】
【図１】本発明の一実施形態に係るバッテリー溶接機の概略斜視図である。
【図２】本実施形態に係るバッテリー溶接機の内部構造の右側面図である。
【図３】本実施形態に係るバッテリー溶接機の内部構造の左側面図である。
【図４】本実施形態に係るバッテリー溶接機の内部構造の平面図である。
【図５】本実施形態に係るバッテリー溶接機の概略回路図である。
【図６】本実施形態に係るバッテリー溶接機の複数の電圧監視回路の配線パターンを示す概略図である。
【発明を実施するための形態】
【００２５】
以下、図面を参照して本発明の実施の形態について説明する。
【００２６】
図１は、本発明の一実施形態に係るバッテリー溶接機１００の概略斜視図である。図１に示すように、本発明の一実施形態に係るバッテリー溶接機１００は、持ち運び用の取っ手１０５が設けられた筐体１０３を備えており、当該筐体１０３の前面下部に一対の溶接用電極１０１、１０２が設けられている。
【００２７】
一方の溶接用電極１０１には、先端側にクランプ１１５（アースと呼ばれる）を有する第１溶接ケーブル１１０が接続され、他方の溶接用電極１０２には、先端側に溶接棒ホルダ１２５を有する第２溶接ケーブル１２０が接続されている。クランプ１１５は、導電性を有するワークＷをクランプしており、溶接棒ホルダ１２５を介してアーク溶接棒１２６を操作することでワークＷに対する溶接作業が行われる。
【００２８】
続いて、図２は、本実施形態に係るバッテリー溶接機１００の内部構造の右側面図であり、図３は、本実施形態に係るバッテリー溶接機１００の内部構造の左側面図であり、図４は、本実施形態に係るバッテリー溶接機１００の内部構造の平面図であり、図５は、本実施形態に係るバッテリー溶接機１００の概略回路図であり、図６は、本実施形態に係るバッテリー溶接機１００の複数の電圧監視回路の配線パターンを示す概略図である。
【００２９】
図２乃至図５に示されるように、筐体１０３には、交流電源接続部４１が設けられている。交流電源接続部４１は、不図示のケーブルを介して、一般の１００Ｖの商用交流電源（コンセント）に接続されるようになっている。
【００３０】
また、図２、図３及び図５に示されるように、筐体１０３内には、電気的には直列接続された１６本のバッテリーセル１〜１６が、それぞれ並列状態に配置されている。具体的には、１６本のバッテリーセル１〜１６は、３段構造に配置されており、１段目には、６本のバッテリーセル１、４〜８が並列配置されており、２段目には、６本のバッテリーセル２〜３，９〜１２が並列配置されており、３段目には、４本のバッテリーセル１３〜１６が並列配置されている。１６本のバッテリーセル１〜１６の各々は、直径４．０８ｃｍ、高さ１３．８８ｃｍの円筒状である。
【００３１】
そして、各バッテリーセルの頂面及び底面の各中央が電極となっており、隣接するバッテリーセルの電極配置は互いに逆向きになっていて、図２及び図３に示すように隣接するバッテリーセルの隣接する電極間が導電性プレートで連絡されることで、１６本のバッテリーセル１〜１６が電気的に接続されている。
【００３２】
また、図２、図３及び図５に示されるように、筐体１０３内には、交流電源接続部４１に接続され、当該交流電源接続部４１に接続される交流電源による複数のバッテリーセル１〜１６の充電を制御する充電回路４０が設けられている。
【００３３】
また、図２乃至図５に示されるように、筐体１０３内には、複数のバッテリーセル１〜１６に充電された電力に基づく一対の溶接用電極１０１、１０２への出力を制御する主制御回路３５を有する主制御基板３０が設けられている。主制御回路３５は、ユーザによる調整つまみ９５（図１及び図５参照）の調整量に応じて図５に示すゲートドライブ５０を制御することによって、一対の溶接用電極１０１、１０２への出力（電圧及び／または電流）を制御するようになっている。
【００３４】
また、図２、図３、図５及び図６に示されるように、複数のバッテリーセル１〜１６の各々に対応するように、複数の電圧監視回路が設けられている。
【００３５】
詳細には、図２乃至図４に示すように、筐体１０３内において主制御基板３０に隣接する位置に、ＢＭＳ（バッテリーマネジメントシステム）基板２０が配置されており、複数の電圧監視回路は、ＢＭＳ基板２０内に設けられた主回路部（不図示）と、ＢＭＳ基板２０に設けられたコネクタ２３からバッテリーセル１〜１６の近傍に配置されたコネクタ２１まで延びる配線と、略同様にＢＭＳ基板２０に設けられたコネクタ２４からバッテリーセル１〜１６の近傍に配置されたコネクタ２２まで延びる配線と、個々のバッテリーセルを含んでコネクタ２１からコネクタ２２に至る配線パターンと、によって構成されている。
【００３６】
当該配線パターンについて更に詳細に説明すると、図２、図３、図５及び図６に示すように、バッテリーセル１の低電圧側に設けられた接続端子ＴＧが、コネクタ２１に接続されており、バッテリーセル１の高電圧側に設けられた接続端子Ｔ１が、コネクタ２２に接続されていて、これらを繋ぐ回路によってバッテリーセル１の電圧監視回路が構成されている。
【００３７】
同様に、バッテリーセル３の低電圧側＝バッテリーセル２の高電圧側に設けられた接続端子Ｔ２が、コネクタ２１に接続されており、バッテリーセル１の高電圧側＝バッテリーセル２の低電圧側に設けられた接続端子Ｔ１が、コネクタ２２に接続されていて、これらを繋ぐ回路によってバッテリーセル２の電圧監視回路が構成されている。
【００３８】
同様に、バッテリーセル３の低電圧側に設けられた接続端子Ｔ２が、コネクタ２１に接続されており、バッテリーセル３の高電圧側＝バッテリーセル４の低電圧側に設けられた接続端子Ｔ３が、コネクタ２２に接続されていて、これらを繋ぐ回路によってバッテリーセル３の電圧監視回路が構成されている。
【００３９】
同様に、バッテリーセル５の低電圧側＝バッテリーセル４の高電圧側に設けられた接続端子Ｔ４が、コネクタ２１に接続されており、バッテリーセル４の低電圧側に設けられた接続端子Ｔ３が、コネクタ２２に接続されていて、これらを繋ぐ回路によってバッテリーセル４の電圧監視回路が構成されている。
【００４０】
同様に、バッテリーセル５の低電圧側に設けられた接続端子Ｔ４が、コネクタ２１に接続されており、バッテリーセル５の高電圧側＝バッテリーセル６の低電圧側に設けられた接続端子Ｔ５が、コネクタ２２に接続されていて、これらを繋ぐ回路によってバッテリーセル５の電圧監視回路が構成されている。
【００４１】
同様に、バッテリーセル７の低電圧側＝バッテリーセル６の高電圧側に設けられた接続端子Ｔ６が、コネクタ２１に接続されており、バッテリーセル６の低電圧側に設けられた接続端子Ｔ５が、コネクタ２２に接続されていて、これらを繋ぐ回路によってバッテリーセル６の電圧監視回路が構成されている。
【００４２】
同様に、バッテリーセル７の低電圧側に設けられた接続端子Ｔ６が、コネクタ２１に接続されており、バッテリーセル７の高電圧側＝バッテリーセル８の低電圧側に設けられた接続端子Ｔ７が、コネクタ２２に接続されていて、これらを繋ぐ回路によってバッテリーセル７の電圧監視回路が構成されている。
【００４３】
同様に、バッテリーセル９の低電圧側＝バッテリーセル８の高電圧側に設けられた接続端子Ｔ８が、コネクタ２１に接続されており、バッテリーセル８の低電圧側に設けられた接続端子Ｔ７が、コネクタ２２に接続されていて、これらを繋ぐ回路によってバッテリーセル８の電圧監視回路が構成されている。
【００４４】
同様に、バッテリーセル９の低電圧側に設けられた接続端子Ｔ８が、コネクタ２１に接続されており、バッテリーセル９の高電圧側＝バッテリーセル１０の低電圧側に設けられた接続端子Ｔ９が、コネクタ２２に接続されていて、これらを繋ぐ回路によってバッテリーセル９の電圧監視回路が構成されている。
【００４５】
同様に、バッテリーセル１１の低電圧側＝バッテリーセル１０の高電圧側に設けられた接続端子Ｔ１０が、コネクタ２１に接続されており、バッテリーセル１０の低電圧側に設けられた接続端子Ｔ９が、コネクタ２２に接続されていて、これらを繋ぐ回路によってバッテリーセル１０の電圧監視回路が構成されている。
【００４６】
同様に、バッテリーセル１１の低電圧側に設けられた接続端子Ｔ１０が、コネクタ２１に接続されており、バッテリーセル１１の高電圧側＝バッテリーセル１２の低電圧側に設けられた接続端子Ｔ１１が、コネクタ２２に接続されていて、これらを繋ぐ回路によってバッテリーセル１１の電圧監視回路が構成されている。
【００４７】
同様に、バッテリーセル１３の低電圧側＝バッテリーセル１２の高電圧側に設けられた接続端子Ｔ１２が、コネクタ２１に接続されており、バッテリーセル１２の低電圧側に設けられた接続端子Ｔ１１が、コネクタ２２に接続されていて、これらを繋ぐ回路によってバッテリーセル１２の電圧監視回路が構成されている。
【００４８】
同様に、バッテリーセル１３の低電圧側に設けられた接続端子Ｔ１２が、コネクタ２１に接続されており、バッテリーセル１３の高電圧側＝バッテリーセル１４の低電圧側に設けられた接続端子Ｔ１３が、コネクタ２２に接続されていて、これらを繋ぐ回路によってバッテリーセル１３の電圧監視回路が構成されている。
【００４９】
同様に、バッテリーセル１５の低電圧側＝バッテリーセル１４の高電圧側に設けられた接続端子Ｔ１４が、コネクタ２１に接続されており、バッテリーセル１４の低電圧側に設けられた接続端子Ｔ１３が、コネクタ２２に接続されていて、これらを繋ぐ回路によってバッテリーセル１４の電圧監視回路が構成されている。
【００５０】
同様に、バッテリーセル１５の低電圧側に設けられた接続端子Ｔ１４が、コネクタ２１に接続されており、バッテリーセル１５の高電圧側＝バッテリーセル１６の低電圧側に設けられた接続端子Ｔ１５が、コネクタ２２に接続されていて、これらを繋ぐ回路によってバッテリーセル１５の電圧監視回路が構成されている。
【００５１】
同様に、バッテリーセル１６の高電圧側に設けられた接続端子Ｔ１６が、コネクタ２１に接続されており、バッテリーセル１６の低電圧側に設けられた接続端子Ｔ１５が、コネクタ２２に接続されていて、これらを繋ぐ回路によってバッテリーセル１６の電圧監視回路が構成されている。
【００５２】
そして、各バッテリーセル１〜１６の電圧監視回路の少なくとも１つが所定の第１閾値以下である時、図５に示すように、ＢＭＳ基板２０の異常信号生成部２７が主制御基板３０の異常信号受容部３２に向けて、過放電警告信号を発するようになっている。第１閾値は、例えば各バッテリーセル１〜１６がリチウムイオン電池である場合、２．２Ｖに設定され得る。
【００５３】
更に、各バッテリーセル１〜１６の電圧監視回路の少なくとも１つが所定の第２閾値以上である時、図５に示すように、ＢＭＳ基板２０の異常信号生成部２７が主制御基板３０の異常信号受容部３２に向けて、過充電警告信号を発するようになっている。第２閾値は、例えば各バッテリーセル１〜１６がリチウムイオン電池である場合、３．８５Ｖに設定され得る。
【００５４】
更に、各バッテリーセル１〜１６の収容部の温度を監視する温度監視回路２５もＢＭＳ基板２０内に設けられており、当該収容部の温度が異常温度である時、ＢＭＳ基板２０の異常信号生成部２７が主制御基板３０の異常信号受容部３２に向けて、異常温度警告信号を発するようになっている。
【００５５】
更に、充電回路４０の電流を監視する電流監視回路２６もＢＭＳ基板２０内に設けられており、充電回路４０の電流が異常電流であるとき、ＢＭＳ基板２０の異常信号生成部２７が主制御基板３０の異常信号受容部３２に向けて、異常電流警告信号を発するようになっている。
【００５６】
図１に戻って、筐体１０３の前面上部には表示部が設けられており、当該表示部には、過放電警告信号、過充電警告信号、異常温度警告信号または異常電流警告信号に基づいて、各種の警告表示がなされるようになっている。
【００５７】
具体的には、図５に示すように、主制御基板３０には表示部を制御する表示回路を有する表示基板９０が接続されていて、当該表示回路は、異常信号受容部３２が受けた各警告信号に基づいて表示部に警告表示させるようになっている。
【００５８】
また、本実施形態の主制御基板３０には、充電停止信号生成部３４が設けられており、ＢＭＳ基板２０の異常信号生成部２７が主制御基板３０の異常信号受容部３２に向けて過充電警告信号を発した時、充電停止信号生成部３４は、充電回路４０に向けて充電停止信号を発するようになっている。そして、充電回路４０は、充電停止信号に基づいて、各バッテリーセル１〜１６への充電を停止するようになっている。
【００５９】
もっとも、過充電の警告のトリガとなる電圧監視回路の閾値（第２閾値）と、充電停止のトリガとなる電圧監視回路の閾値（第３閾値）とは、異なる値に設定されてもよい。
【００６０】
また、本実施形態の充電停止信号生成部３４は、主制御回路３５を介して一対の溶接用電極１０１、１０２への出力（電圧及び／または電流）が制御されている間、充電回路４０に向けて充電停止信号を発するようになっている。一方、一対の溶接用電極１０１、１０２への出力制御が中断すると、充電停止信号の発信が中断して、充電回路４０による充電が自動再開するようになっている。
【００６１】
その他、主制御基板３０には、ＤＣ３８．０Ｖ〜ＤＣ６０．０Ｖ入力電圧を監視する入力電圧モニタ回路３１、ゲートドライブ５０近傍の温度を監視する温度モニタ回路３６、図５に示す電流検知部７０における電流を監視する電流モニタ回路３７、バッテリー溶接機１００の内部構造を冷却するためのファン８０を制御するファン制御回路３８、等が搭載されている。
【００６２】
以上のような本実施形態によるバッテリー溶接機１００によれば、複数のバッテリーセル１〜１６の各々に対応するように複数の電圧監視回路が設けられているため、バッテリーセル１〜１６の品質のバラツキの存在をある程度許容できる。
【００６３】
例えば、個々のバッテリーセル１〜１６の品質にバラツキが存在する場合、複数のバッテリーセル１〜１６の全体の電圧からは安全性に関わる問題が認められなくても、一部のバッテリーセルの電圧に安全性に関わる問題が生じている可能性があるところ、本実施形態のバッテリー溶接機１００によれば、複数のバッテリーセル１〜１６の各々の電圧が監視されているため、一部のバッテリーセルの電圧に安全性に関わる問題が生じた場合にこれを早期に把握することができる。
【００６４】
また、バッテリーセル１〜１６の品質のバラツキの存在をある程度許容できることにより、より低価格でより軽量なバッテリーセルを採用することが可能となり、ひいては、より低価格でより軽量なバッテリー溶接機１００を提供することができる。
【００６５】
さらに、バッテリーセル１〜１６が過放電状態になると、発熱して火災の原因となる場合さえあり得るところ、複数のバッテリーセル１〜１６の全体の電圧ではなく、それらの各々の電圧を監視することで、各バッテリーセル１〜１６が過放電状態であるのか否かを的確に監視することができ、安全性をより高めることができる。
【００６６】
略同様に、バッテリーセル１〜１６が過充電状態になる時も、同様に、発熱して火災の原因となる場合さえあり得るところ、複数のバッテリーセル１〜１６の全体の電圧ではなく、それらの各々の電圧を監視することで、各バッテリーセル１〜１６が過充電状態であるのか否かを的確に監視することができ、安全性をより高めることができる。
【００６７】
また、本実施形態によるバッテリー溶接機１００は、複数の電圧監視回路が監視する電圧の少なくとも１つが所定の第１閾値以下である時、過放電警告信号を発するようになっている。これにより、少なくとも１つのバッテリーセルが過放電状態であることを、ユーザに的確に警告することができる。
【００６８】
また、本実施形態によるバッテリー溶接機１００は、複数の電圧監視回路が監視する電圧の少なくとも１つが所定の第２閾値以上である時、過充電警告信号を発するようになっている。これにより、少なくとも１つのバッテリーセルが過充電状態であることを、ユーザに的確に警告することができる。
【００６９】
また、本実施形態によるバッテリー溶接機１００は、各バッテリーセル１〜１６の収容部の温度が異常温度である時、異常温度警告信号を発するようになっている。これにより、異常温度が生じていることを、ユーザに的確に警告することができる。
【００７０】
また、本実施形態によるバッテリー溶接機１００は、充電回路４０の電流が異常電流である時、異常電流警告信号を発するようになっている。これにより、異常電流が生じていることを、ユーザに的確に警告することができる。
【００７１】
また、本実施形態によるバッテリー溶接機１００は、筐体１０３に表示部が設けられており、当該表示部に、過放電警告信号、過充電警告信号、異常温度警告信号または異常電流警告信号に基づいて、各種の警告表示がなされるようになっている。これにより、各異常状態をユーザに視覚的に警告することができる。
【００７２】
また、本実施形態によるバッテリー溶接機１００の充電回路４０は、複数の電圧監視回路が監視する電圧の少なくとも１つが所定の第３閾値以上である時、充電を停止するようになっている。これにより、充電の自動停止を実現することができる。
【００７３】
また、本実施形態によるバッテリー溶接機１００の充電回路４０は、主制御回路３５によって複数のバッテリーセル１〜１６に充電された電力に基づく一対の溶接用電極１０１、１０２への出力制御がなされている間、充電を停止するようになっている。これにより、バッテリーセル１〜１６の放電中（溶接作業中）の追加充電が回避され、電流の逆流に起因する各基板の故障が防止され、また、バッテリーセル１〜１６の内部温度の過度の上昇も防止されてバッテリーセル１〜１６の寿命の短縮化が回避される。
【符号の説明】
【００７４】
１〜１６  バッテリーセル
２０      ＢＭＳ基板
２１      コネクタ
２２      コネクタ
２３      コネクタ
２４      コネクタ
２５      温度監視回路
２６      電流監視回路
２７      異常信号生成部
３０      主制御基板
３１      入力電圧モニタ回路
３２      異常信号受容部
３４      充電停止信号生成部
３５      主制御回路
３６      温度モニタ回路
３７      電流モニタ回路
３８      ファン制御回路
４０      充電回路
４１      交流電源接続部
５０      ゲートドライブ
７０      電流検知部
８０      ファン
９０      表示基板
９５      調整つまみ
１００    バッテリー溶接機
１０１    溶接用電極
１０２    溶接用電極
１０３    筐体
１０５    取っ手
１１０    第１溶接ケーブル
１１５    クランプ
１２０    第２溶接ケーブル
１２５    溶接棒ホルダ
１２６    アーク溶接棒
【図１】
2020068593.tif 000003
【図２】
2020068593.tif 000004
【図３】
2020068593.tif 000005
【図４】
2020068593.tif 000006
【図５】
2020068593.tif 000007
【図６】
2020068593.tif 000008